(57)【要約】【課題】信号に定常的な歪が生じる伝送経路を介して行われる通信の品質を向上させる。【解決手段】A/Dコンバータ８２は、伝送経路を介して伝送されてきた信号から特定のシンボルの信号値を取得し、相関係数取得部８３は、特定のシンボルの信号値が表す波形と、特定のシンボルの値および特定のシンボルの前に送信された所定の数のシンボルの値の組み合わせに応じて歪が生じた特定のシンボルの信号値が表す波形の特性である歪特性との相関係数を、所定の数のシンボルの値の組み合わせごとに求める。選択部８４は、相関係数取得部８３が求めた相関係数に基づいて、特定のシンボルの信号値が表す波形との相関が高い歪特性を選択し、ビット決定部８５は、選択部８４が選択した歪特性に対応するシンボルの値の組み合わせに基づいてシンボルの値を決定する。本発明は、例えば、画像信号を処理する信号処理装置に適用できる。【選択図】図９
2008160768.tif 000002
【特許請求の範囲】
【請求項１】
特定のシンボルの前に送信されたシンボルの値に応じて、前記特定のシンボルの信号値が表す波形に、定常的な歪が生じる伝送経路を介して伝送される信号を処理する信号処理装置において、
前記特定のシンボルの値、および前記特定のシンボルの前に送信された所定の数のシンボルの値の組み合わせに応じて歪が生じた前記特定のシンボルの信号値が表す波形の特性である歪特性を記憶する記憶手段と、
前記伝送経路を介して伝送されてきた信号から、前記特定のシンボルの信号値を取得する取得手段と、
前記取得手段が取得した前記特定のシンボルの信号値が表す波形と、前記記憶手段に記憶されている前記歪特性との相関係数を、前記シンボルの値の組み合わせごとに求める相関係数演算手段と、
前記相関係数演算手段が求めた相関係数に基づいて、前記取得手段が取得した前記特定のシンボルの信号値が表す波形との相関が高い前記歪特性を選択する選択手段と、
前記選択手段が選択した前記歪特性に対応する前記シンボルの値の組み合わせに基づいて、前記伝送経路を介して伝送されてきた信号の前記シンボルの値を決定する決定手段と
を備える信号処理装置。
【請求項２】
前記選択手段は、前記相関係数演算手段が求めた相関係数が、所定の閾値以上である場合に、前記相関係数を求めるのに用いられた前記歪特性を、前記特定のシンボルの信号値が表す波形との相関が高い前記歪特性として選択する
請求項１に記載の信号処理装置。
【請求項３】
前記決定手段は、前記選択手段により複数の前記歪特性が選択された場合、前記複数の歪特性に対応する前記シンボルの値の組み合わせにおける前記特定のシンボルの値が全て一致しているとき、前記シンボルの値の組み合わせにおける前記特定のシンボルの値を、前記伝送経路を介して伝送されてきた信号の前記特定のシンボルの値として決定する
請求項１に記載の信号処理装置。
【請求項４】
前記決定手段は、前記選択手段により複数の前記歪特性が選択された場合、前記複数の歪特性に対応する前記シンボルの値の組み合わせにおける前記特定のシンボルのｎ（ｎは整数値）シンボル前のシンボルの値が全て一致しているとき、前記シンボルの値の組み合わせにおける前記ｎシンボル前のシンボルの値を、前記伝送経路を介して伝送されてきた信号の前記ｎシンボル前のシンボルの値として決定する
請求項１に記載の信号処理装置。
【請求項５】
前記決定手段は、前記選択手段により複数の前記歪特性が選択された場合、前記複数の歪特性に対応する前記シンボルの値の組み合わせにおける前記特定のシンボルの値のうちの、最も多い前記特定のシンボルの値を、前記伝送経路を介して伝送されてきた信号の前記特定のシンボルの値として決定する
請求項１に記載の信号処理装置。
【請求項６】
前記決定手段は、前記選択手段により複数の前記歪特性が選択された場合、前記複数の歪特性に対応する前記シンボルの値の組み合わせにおける前記特定のシンボルのｎシンボル前のシンボルの値のうちの、最も多い前記ｎシンボル前のシンボルの値を、前記伝送経路を介して伝送されてきた信号の前記ｎシンボル前のシンボルの値として決定する
請求項１に記載の信号処理装置。
【請求項７】
特定のシンボルの前に送信されたシンボルの値に応じて、前記特定のシンボルの信号値が表す波形に、定常的な歪が生じる伝送経路を介して伝送される信号を処理する信号処理方法において、
前記伝送経路を介して伝送されてきた信号から、前記特定のシンボルの信号値を取得し、
前記伝送経路を介して伝送されてきた信号の前記特定のシンボルの信号値が表す波形と、
前記特定のシンボルの値、および前記特定のシンボルの前に送信された所定の数のシンボルの値の組み合わせに応じて歪が生じた前記特定のシンボルの信号値が表す波形の特性である歪特性との相関係数を、前記シンボルの値の組み合わせごとに求め、
前記シンボルの値の組み合わせごとに求められた前記相関係数に基づいて、前記特定のシンボルの信号値が表す波形との相関が高い前記歪特性を選択し、
前記特定のシンボルの信号値が表す波形との相関が高い前記歪特性に対応する前記シンボルの値の組み合わせに基づいて、前記伝送経路を介して伝送されてきた信号の前記シンボルの値を決定する
ステップを含む信号処理方法。
【請求項８】
特定のシンボルの前に送信されたシンボルの値に応じて、前記特定のシンボルの信号値が表す波形に、定常的な歪が生じる伝送経路を介して伝送される信号を処理する信号処理をコンピュータに実行させるプログラムにおいて、
前記伝送経路を介して伝送されてきた信号から、前記特定のシンボルの信号値を取得し、
前記伝送経路を介して伝送されてきた信号の前記特定のシンボルの信号値が表す波形と、
前記特定のシンボルの値、および前記特定のシンボルの前に送信された所定の数のシンボルの値の組み合わせに応じて歪が生じた前記特定のシンボルの信号値が表す波形の特性である歪特性との相関係数を、前記シンボルの値の組み合わせごとに求め、
前記シンボルの値の組み合わせごとに求められた前記相関係数に基づいて、前記特定のシンボルの信号値が表す波形との相関が高い前記歪特性を選択し、
前記特定のシンボルの信号値が表す波形との相関が高い前記歪特性に対応する前記シンボルの値の組み合わせに基づいて、前記伝送経路を介して伝送されてきた信号の前記シンボルの値を決定する
ステップを含むプログラム。
【発明の詳細な説明】
【技術分野】
【０００１】
本発明は、信号処理装置および信号処理方法、並びにプログラムに関し、特に、信号に歪が生じる伝送経路を介して行われる通信の品質を向上させることができるようにした信号処理装置および信号処理方法、並びにプログラムに関する。
【背景技術】
【０００２】
従来、例えば、テレビジョン放送信号を受信するチューナや、DVD（Digital Versatile Disc）プレーヤなどの外部機器から画像の信号が供給され、その信号に信号処理を施して、CRT(Cathode Ray Tube)やLCD(Liquid Crystal Display)などの表示装置に画像の信号を供給する信号処理装置がある。
【０００３】
このような信号処理装置では、外部機器から供給された画像の信号からノイズを除去するノイズ除去処理や、外部機器からの画像よりも表示装置に表示される画像が高画質となるように画像の信号を変換する画像変換処理、表示装置に表示される画像の明るさやコントラストを調整する画像調整処理などの信号処理が行われる。
【０００４】
図１は、従来の信号処理装置の構成例を示すブロック図である。
【０００５】
図１において、信号処理装置１１は、筐体１２、コネクタ１３1乃至１３4、入力セレクタ１４、信号ルータ１５、コネクタ１６1乃至１６4、コネクタ１７1乃至１７3、機能ブロック１８1乃至１８3、コネクタ１９、リモートコマンダ２０、操作部２１、システム制御ブロック２２、および制御バス２３から構成される。
【０００６】
信号処理装置１１では、コネクタ１３1乃至１３4が、信号ケーブルを介して入力セレクタ１４に接続されており、入力セレクタ１４が、信号ケーブルを介して信号ルータ１５に接続されている。また、信号ルータ１５は、信号ケーブルを介してコネクタ１６1乃至１６4とコネクタ１９に接続されており、信号ルータ１５は、コネクタ１６1乃至１６3およびコネクタ１７1乃至１７3を介して、機能ブロック１８1乃至１８3に接続されている。また、入力セレクタ１４、信号ルータ１５、コネクタ１６1乃至１６4、およびシステム制御ブロック２２は、制御バス２３を介して、互いに接続されている。
【０００７】
筐体１２は、例えば、直方体形状の箱であり、筐体１２には、コネクタ１３1乃至１３4、コネクタ１９、および操作部２１が外装され、筐体１２の内部には、入力セレクタ１４、信号ルータ１５、コネクタ１６1乃至１６4、コネクタ１７1乃至１７3、機能ブロック１８1乃至１８3、システム制御ブロック２２、および制御バス２３が収納される。
【０００８】
コネクタ１３1乃至１３4は、信号処理装置１１と、信号処理装置１１に画像の信号を供給するチューナやDVDプレーヤなどの外部機器（図示せず）とを接続するケーブルが接続される接続部である。
【０００９】
入力セレクタ１４には、コネクタ１３1乃至１３4を介して、外部機器から画像の信号が供給され、入力セレクタ１４は、システム制御ブロック２２の制御に従って、コネクタ１３1乃至１３4のうちの、いずれか１つに接続された外部機器から供給される画像の信号を信号ルータ１５に供給する。
【００１０】
信号ルータ１５は、システム制御ブロック２２の制御に従い、入力セレクタ１４から供給された信号を、コネクタ１６1乃至１６3およびコネクタ１７1乃至１７3を介して、機能ブロック１８1乃至１８3に供給する。また、信号ルータ１５には、信号処理が施された信号が機能ブロック１８1乃至１８3から供給され、信号ルータ１５は、信号処理が施された信号を、コネクタ１９を介して、コネクタ１９に接続されている表示装置（図示せず）に供給する。
【００１１】
コネクタ１６1乃至１６3とコネクタ１７1乃至１７3とは、互いに着脱可能であり、信号ルータ１５または制御バス２３と、機能ブロック１８1乃至１８3とを接続する。また、コネクタ１６4には、信号処理装置１１に追加される新たな機能ブロックなどを接続することができる。
【００１２】
機能ブロック１８1乃至１８3は、ノイズ除去処理、画像変換処理、または画像調整処理などの信号処理を施す信号処理回路をそれぞれ有している。機能ブロック１８1乃至１８3は、信号ルータ１５から供給される信号に対して信号処理を施し、信号処理が施された信号を、信号ルータ１５に供給する。
【００１３】
コネクタ１９は、信号処理装置１１と、信号処理装置１１から出力される画像を表示する表示装置とを接続するケーブルが接続される接続部である。
【００１４】
リモートコマンダ２０は、ユーザにより操作される複数のボタンなどを備えており、ユーザにより操作され、ユーザの操作に応じた操作信号を、赤外線などを利用して、システム制御ブロック２２に供給する。
【００１５】
操作部２１は、リモートコマンダ２０と同様に、ユーザにより操作される複数のボタンなどを備えており、ユーザにより操作され、ユーザの操作に応じた操作信号を、システム制御ブロック２２に供給する。
【００１６】
システム制御ブロック２２は、ユーザの操作に応じた操作信号が、リモートコマンダ２０または操作部２１から供給されると、その操作信号に応じた処理が行われるように、制御バス２３を介して、入力セレクタ１４、信号ルータ１５、または機能ブロック１８1乃至１８3を制御する。
【００１７】
以上のように構成される信号処理装置１１では、コネクタ１３1乃至１３4および入力セレクタ１４を介して信号ルータ１５に画像の信号が供給され、信号ルータ１５と機能ブロック１８1乃至１８3との間で、信号ケーブルを介して、画像の信号が伝送される。
【００１８】
ところで、近年、画像の高精細化に伴い、信号処理装置１１が信号処理を施す画像の信号のデータ量が、大きくなる傾向がある。画像の信号のデータ量が大きくなると、例えば、信号ルータ１５と機能ブロック１８1乃至１８3との間で、信号ケーブルを介して、画像の信号が高速で伝送される。このように、信号が高速で伝送されると、信号ケーブルの周波数特性や、クロストーク、パラレルな信号ケーブルにおいて生じるタイミングのずれ（スキュー）などの影響により、信号の伝送に問題が発生する。
【００１９】
ここで、特許文献１には、筐体に内蔵される基板どうしが、電磁波を用いた無線通信により信号を伝送し、信号処理を行う信号処理装置が開示されている。
【００２０】
このように、例えば、信号ルータ１５と機能ブロック１８1乃至１８3とが、電磁波を用いた無線通信により信号を伝送することで、信号ケーブルを介して信号を高速で伝送することにより発生する問題を回避することができる。
【００２１】
しかしながら、信号ルータ１５と機能ブロック１８1乃至１８3とが、信号処理装置１１の筐体１２の内部で、電磁波を用いた無線通信により信号を伝送すると、筐体１２の壁面で電磁波が反射したり、筐体１２に内蔵される基板で電磁波が回折したりすることにより、経路距離の異なる複数の伝送経路（マルチパス）が発生する。そして、マルチパスを介して信号が伝送されると、信号を受信する受信側に到達する信号の位相がずれてしまい、信号が干渉してしまう。
【００２２】
このように、筐体１２の内部における無線通信においては、即ち、信号の干渉によって信号の波形に歪が生じる伝送経路を介して行われる通信においては、受信側の基板は、信号を正常に復調することができなくなり、その結果、通信の品質が低下する。
【００２３】
ところで、筐体の内部における無線通信以外に、例えば、携帯電話機による移動体通信において、ビルなどの建設物により電磁波が反射することによって生じるマルチパスによっても、信号の位相がずれることにより干渉が発生し、通信の品質が低下する。また、このような無線通信以外にも、例えば、ケーブルを介して信号を伝送するにあたり、ケーブルの端部で信号が反射し、伝送すべき信号と反射した信号とによっても干渉が発生し、通信の品質が低下する。
【００２４】
従来、一般的な無線通信の信号処理によるマルチパス対策として、変調方式としてOFDM(Orthogonal Frequency Division Multiplexing：直交周波数分割多重方式)を用いる方法や、スペクトラム拡散 (Spread Spectrum)とレイク受信を用いる方法、マルチアンテナを用いる方法、波形等化器を用いる方法などがある。
【００２５】
しかしながら、画像の信号、特に、非圧縮の画像の信号のように、高速に伝送する必要がある信号に対する信号処理においては、信号処理において生じる遅延を短くすること、および遅延を一定にすることが必要であるが、これらのマルチパス対策を用いたとしても、信号処理において生じる遅延を短くすること、および遅延を一定にすることは困難であった。
【００２６】
また、OFDMを変調方式に採用した場合には、変調および復調において用いられるFFT（Fast Fourier Transform）の処理を実行するデバイスに大きな負荷がかかり、それらのデバイスの発熱量が多くなったり、コストが高くなる懸念がある。また、スペクトラム拡散を用いた場合には、高速な通信を実現するために、送信信号よりも高速な信号処理が必要となるが、そのような高速な信号処理を行うことは難しく、高速な通信を実現することが困難であった。
【００２７】
また、マルチアンテナや波形等化器を用いた場合には、パケットにUW（Unique Word）を挿入することが必要になったり、伝送特性の変化を予測する精度を向上させるために大規模な予測回路が必要になったりする。
【００２８】
【特許文献１】特開２００３−１７９８２１号公報
【発明の開示】
【発明が解決しようとする課題】
【００２９】
上述したように、従来の信号処理装置の筐体内における無線通信では、信号の干渉により歪が生じ、通信の品質が低下していた。
【００３０】
本発明は、このような状況に鑑みてなされたものであり、信号に歪が生じる伝送経路を介して行われる通信の品質を向上させることができるようにするものである。
【課題を解決するための手段】
【００３１】
本発明の一側面の信号処理装置は、特定のシンボルの前に送信されたシンボルの値に応じて、前記特定のシンボルの信号値が表す波形に、定常的な歪が生じる伝送経路を介して伝送される信号を処理する信号処理装置であって、前記特定のシンボルの値、および前記特定のシンボルの前に送信された所定の数のシンボルの値の組み合わせに応じて歪が生じた前記特定のシンボルの信号値が表す波形の特性である歪特性を記憶する記憶手段と、前記伝送経路を介して伝送されてきた信号から、前記特定のシンボルの信号値を取得する取得手段と、前記取得手段が取得した前記特定のシンボルの信号値が表す波形と、前記記憶手段に記憶されている前記歪特性との相関係数を、前記シンボルの値の組み合わせごとに求める相関係数演算手段と、前記相関係数演算手段が求めた相関係数に基づいて、前記取得手段が取得した前記特定のシンボルの信号値が表す波形との相関が高い前記歪特性を選択する選択手段と、前記選択手段が選択した前記歪特性に対応する前記シンボルの値の組み合わせに基づいて、前記伝送経路を介して伝送されてきた信号の前記シンボルの値を決定する決定手段とを備える。
【００３２】
本発明の一側面の信号処理方法またはプログラムは、特定のシンボルの前に送信されたシンボルの値に応じて、前記特定のシンボルの信号値が表す波形に、定常的な歪が生じる伝送経路を介して伝送される信号を処理する信号処理方法、または、特定のシンボルの前に送信されたシンボルの値に応じて、前記特定のシンボルの信号値が表す波形に、定常的な歪が生じる伝送経路を介して伝送される信号を処理する信号処理をコンピュータに実行させるプログラムであって、前記伝送経路を介して伝送されてきた信号から、前記特定のシンボルの信号値を取得し、前記伝送経路を介して伝送されてきた信号の前記特定のシンボルの信号値が表す波形と、前記特定のシンボルの値、および前記特定のシンボルの前に送信された所定の数のシンボルの値の組み合わせに応じて歪が生じた前記特定のシンボルの信号値が表す波形の特性である歪特性との相関係数を、前記シンボルの値の組み合わせごとに求め、前記シンボルの値の組み合わせごとに求められた前記相関係数に基づいて、前記特定のシンボルの信号値が表す波形との相関が高い前記歪特性を選択し、前記特定のシンボルの信号値が表す波形との相関が高い前記歪特性に対応する前記シンボルの値の組み合わせに基づいて、前記伝送経路を介して伝送されてきた信号の前記シンボルの値を決定するステップを含む。
【００３３】
本発明の一側面においては、伝送経路を介して伝送されてきた信号から、特定のシンボルの信号値が取得され、伝送経路を介して伝送されてきた信号の特定のシンボルの信号値が表す波形と、特定のシンボルの値、および特定のシンボルの前に送信された所定の数のシンボルの値の組み合わせに応じて歪が生じた特定のシンボルの信号値が表す波形の特性である歪特性との相関係数が、シンボルの値の組み合わせごとに求められる。そして、シンボルの値の組み合わせごとに求められた相関係数に基づいて、特定のシンボルの信号値が表す波形との相関が高い歪特性が選択され、特定のシンボルの信号値が表す波形との相関が高い歪特性に対応するシンボルの値の組み合わせに基づいて、伝送経路を介して伝送されてきた信号のシンボルの値が決定される。
【発明の効果】
【００３４】
本発明の一側面によれば、信号に歪が生じる伝送経路を介して行われる通信の品質を向上させることができる。
【発明を実施するための最良の形態】
【００３５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３６】
本発明の一側面の信号処理装置は、特定のシンボルの前に送信されたシンボルの値に応じて、前記特定のシンボルの信号値が表す波形に、定常的な歪が生じる伝送経路を介して伝送される信号を処理する信号処理装置であって、
前記特定のシンボルの値、および前記特定のシンボルの前に送信された所定の数のシンボルの値の組み合わせに応じて歪が生じた前記特定のシンボルの信号値が表す波形の特性である歪特性を記憶する記憶手段（例えば、図６の遅延プロファイル蓄積部７５）と、
前記伝送経路を介して伝送されてきた信号から、前記特定のシンボルの信号値を取得する取得手段（例えば、図９のA/Dコンバータ８２）と、
前記取得手段が取得した前記特定のシンボルの信号値が表す波形と、前記記憶手段に記憶されている前記歪特性との相関係数を、前記シンボルの値の組み合わせごとに求める相関係数演算手段（例えば、図９の相関係数取得部８３）と、
前記相関係数演算手段が求めた相関係数に基づいて、前記取得手段が取得した前記特定のシンボルの信号値が表す波形との相関が高い前記歪特性を選択する選択手段（例えば、図９の選択部８４）と、
前記選択手段が選択した前記歪特性に対応する前記シンボルの値の組み合わせに基づいて、前記伝送経路を介して伝送されてきた信号の前記シンボルの値を決定する決定手段（例えば、図９のビット決定部８５）と
を備える。
【００３７】
本発明の一側面の信号処理方法またはプログラムは、特定のシンボルの前に送信されたシンボルの値に応じて、前記特定のシンボルの信号値が表す波形に、定常的な歪が生じる伝送経路を介して伝送される信号を処理する信号処理方法、または、特定のシンボルの前に送信されたシンボルの値に応じて、前記特定のシンボルの信号値が表す波形に、定常的な歪が生じる伝送経路を介して伝送される信号を処理する信号処理をコンピュータに実行させるプログラムであって、
前記伝送経路を介して伝送されてきた信号から、前記特定のシンボルの信号値を取得し（例えば、図１０のステップＳ２２）、
前記伝送経路を介して伝送されてきた信号の前記特定のシンボルの信号値が表す波形と、
前記特定のシンボルの値、および前記特定のシンボルの前に送信された所定の数のシンボルの値の組み合わせに応じて歪が生じた前記特定のシンボルの信号値が表す波形の特性である歪特性との相関係数を、前記シンボルの値の組み合わせごとに求め（例えば、図１０のステップＳ２５）、
前記シンボルの値の組み合わせごとに求められた前記相関係数に基づいて、前記特定のシンボルの信号値が表す波形との相関が高い前記歪特性を選択し（例えば、図１０のステップＳ２６）、
前記特定のシンボルの信号値が表す波形との相関が高い前記歪特性に対応する前記シンボルの値の組み合わせに基づいて、前記伝送経路を介して伝送されてきた信号の前記シンボルの値を決定する（例えば、図１０のステップＳ２７）
ステップを含む。
【００３８】
以下、本発明を適用した具体的な実施の形態について、図面を参照しながら詳細に説明する。
【００３９】
図２は、本発明を適用した信号処理装置の一実施の形態の構成例を示す斜視図である。
【００４０】
図２において、信号処理装置３１は、筐体３２、電源モジュール３３、プラットフォーム基板３４、入力基板３５、信号処理基板３６1乃至３６3、および出力基板３７から構成される。
【００４１】
筐体３２は、直方体形状の箱であり、その内部に、電源モジュール３３、プラットフォーム基板３４、入力基板３５、信号処理基板３６1乃至３６3、および出力基板３７が収納される。
【００４２】
電源モジュール３３は、プラットフォーム基板３４、入力基板３５、信号処理基板３６1乃至３６3、および出力基板３７に、駆動に必要な電力を供給する。
【００４３】
プラットフォーム基板３４には、信号処理基板３６1乃至３６3が装着され、プラットフォーム基板３４を介して、例えば、電源モジュール３３から信号処理基板３６1乃至３６3に電力が供給される。
【００４４】
入力基板３５は、筐体３２に外装されているコネクタ（例えば、後述する図３のコネクタ４３1乃至４３4）に接続されており、入力基板３５には、このコネクタを介して接続される外部機器（図示せず）から画像の信号が供給される。また、入力基板３５は、電磁波を用いた無線通信を行うためのアンテナ３５ａを備えており、外部機器から供給された画像の信号を、アンテナ３５ａを介して、信号処理基板３６1乃至３６3に供給する。
【００４５】
信号処理基板３６1乃至３６3は、電磁波を用いた無線通信を行うためのアンテナ３６ａ1乃至３６ａ3を備えており、信号処理基板３６1乃至３６3には、アンテナ３６ａ1乃至３６ａ3を介して、入力基板３５から画像の信号が供給される。信号処理基板３６1乃至３６3は、入力基板３５からの画像の信号に対し、ノイズ除去処理、画像変換処理、または画像調整処理などの信号処理をそれぞれ施し、信号処理を施した画像の信号を、アンテナ３６ａ1乃至３６ａ3を介して、出力基板３７に供給する。
【００４６】
出力基板３７は、電磁波を用いた無線通信を行うためのアンテナ３７ａを備えるとともに、筐体３２に外装されているコネクタ（例えば、後述する図３のコネクタ４７）に接続されている。出力基板３７は、アンテナ３７ａを介して、信号処理基板３６1乃至３６3から供給される画像の信号を、筐体３２に外装されているコネクタに接続されている表示装置（図示せず）に供給する。
【００４７】
次に、図３は、図２の信号処理装置３１の構成例を示すブロック図である。
【００４８】
図３において、信号処理装置３１は、筐体４２、コネクタ４３1乃至４３4、入力セレクタ４４、信号ルータ４５、機能ブロック４６1乃至４６3、コネクタ４７、リモートコマンダ４８、操作部４９、およびシステム制御ブロック５０から構成される。
【００４９】
信号処理装置３１では、コネクタ４３1乃至４３4が、信号ケーブルを介して入力セレクタ４４に接続されており、入力セレクタ４４が、信号ケーブルを介して信号ルータ４５に接続されており、信号ルータ４５が、信号ケーブルを介してコネクタ４７に接続されている。
【００５０】
筐体４２は、図２の筐体３２に対応し、筐体４２には、コネクタ４３1乃至４３4、コネクタ４７、および操作部４９が外装され、筐体４２の内部には、入力セレクタ４４、信号ルータ４５、機能ブロック４６1乃至４６3、およびシステム制御ブロック５０が収納される。
【００５１】
コネクタ４３1乃至４３4は、信号処理装置３１と、信号処理装置３１に画像の信号を供給するチューナやDVDプレーヤなどの外部機器（図示せず）とを接続するケーブルが接続される接続部である。
【００５２】
入力セレクタ４４は、例えば、図２の入力基板３５に設けられており、システム制御ブロック５０と通信を行うためのアンテナ４４ａを備える。入力セレクタ４４には、コネクタ４３1乃至４３4を介して、外部機器から画像の信号が供給され、入力セレクタ４４は、システム制御ブロック５０の制御に従って、コネクタ４３1乃至４３4のうちの、いずれか１つに接続された外部機器から供給される画像の信号を信号ルータ４５に供給する。
【００５３】
信号ルータ４５は、例えば、図２の出力基板３７に設けられており、システム制御ブロック５０や、機能ブロック４６1乃至４６3などと通信を行うためのアンテナ４５ａを備える。信号ルータ４５は、システム制御ブロック５０の制御に従い、入力セレクタ４４から供給される画像の信号を、アンテナ４５ａを介して、電磁波を用いた無線通信により、機能ブロック４６1乃至４６3に送信する。
【００５４】
また、信号ルータ４５は、アンテナ４５ａを介して、電磁波を用いた無線通信により、機能ブロック４６1乃至４６3から送信されてくる画像の信号を受信し、機能ブロック４６1乃至４６3からの画像の信号を、コネクタ４７を介して、コネクタ４７に接続されている表示装置（図示せず）に供給する。
【００５５】
機能ブロック４６1乃至４６3は、例えば、図２の信号処理基板３６1乃至３６3にそれぞれ設けられており、アンテナ４６ａ1乃至４６ａ3を備える。
【００５６】
機能ブロック４６1乃至４６3は、アンテナ４６ａ1乃至４６ａ3を介して、電磁波を用いた無線通信により、信号ルータ４５から送信されてくる画像の信号を受信し、その画像の信号に対し、ノイズ除去処理、画像変換処理、または画像調整処理などの信号処理をそれぞれ施す。そして、機能ブロック４６1乃至４６3は、信号処理を施した画像の信号を、アンテナ４６ａ1乃至４６ａ3を介して、電磁波を用いた無線通信により、信号ルータ４５に送信する。また、機能ブロック４６1乃至４６3どうしも、それぞれが備えるアンテナ４６ａ1乃至４６ａ3を介して、互いに信号の送受信を行う。
【００５７】
なお、機能ブロック４６1乃至４６3のそれぞれを個々に区別する必要がない場合、以下、適宜、機能ブロック４６1乃至４６3を機能ブロック４６と称する。同様に、機能ブロック４６1乃至４６3それぞれに設けられたアンテナ４６ａ1乃至４６ａ3も、アンテナ４６ａと称する。
【００５８】
コネクタ４７は、図１のコネクタ１９と同様に、信号処理装置３１と、信号処理装置３１から出力される画像を表示する表示装置とを接続するケーブルが接続される接続部である。
【００５９】
リモートコマンダ４８または操作部４９は、図１のリモートコマンダ２０または操作部２１と同様に、ユーザにより操作され、ユーザの操作に応じた操作信号を、システム制御ブロック５０に供給する。
【００６０】
システム制御ブロック５０は、例えば、図２のプラットフォーム基板３４に設けられており、アンテナ５０ａを備えている。システム制御ブロック５０は、ユーザの操作に応じた操作信号が、リモートコマンダ４８または操作部４９から供給されると、その操作信号に応じた処理が行われるように、アンテナ５０ａを介して、電磁波を用いた無線通信により、入力セレクタ４４、信号ルータ４５、または機能ブロック４６を制御する。
【００６１】
以上のように信号処理装置３１は構成され、信号処理装置３１の筐体４２の内部で、信号ルータ４５と機能ブロック４６とが、電磁波を用いた無線通信により、画像の信号を送受信する。
【００６２】
このような筐体４２の内部で無線通信が行われると、例えば、信号ルータ４５のアンテナ４５ａから出力された電磁波は、筐体４２の壁面などで反射することによりマルチパスを介して伝送され、機能ブロック４６に到達する電磁波（信号）の位相がずれてしまう。この位相のずれにより、機能ブロック４６が受信する信号が互いに干渉し、信号の波形に歪が生じ、例えば、信号のシンボルが誤って判定されてしまう。
【００６３】
次に、図４を参照し、筐体４２の内部における無線通信により伝送された信号の波形に生じる歪について説明する。
【００６４】
ここで、無線通信において、変調方式によっては、信号が表す１シンボルにより、複数のビットを伝送することができるが、以下では、例えば、BPSK(binary phase shift keying)のように、１シンボルにより１ビット（０または１のいずれか一方）が伝送される例について説明する。また、信号ルータ４５と機能ブロック４６との間、または機能ブロック４６どうしの間で信号の送受信が行われるが、信号ルータ４５から機能ブロック４６に信号が送信される例について説明する。
【００６５】
図４の下側には、信号ルータ４５から機能ブロック４６に送信される信号の一部が示されている。即ち、図４の下側には、信号ルータ４５から送信される信号の特定のビット（以下、適宜、現在のビットという）の４ビット前に送信されたビットから、現在のビットまでの５ビットの信号が示されており、現在のビットの４ビット前に送信されたビットから現在のビットまでの各ビットを「４ビット前、３ビット前、２ビット前、１ビット前、現在のビット」と表すとすると、「0,1,0,1,1」の５ビットの信号が示されている。
【００６６】
また、図４の上側には、機能ブロック４６が受信した信号の波形が示されている。図４において、横軸は時間を表し、縦軸は信号の信号値を表す。また、図４において、細い線は、機能ブロック４６が複数回受信した信号そのものの波形（DATA）を表し、太い線は、複数の信号の波形を平均した波形（AVG）を表す。
【００６７】
図４の右上には、無線通信により機能ブロック４６が受信した信号の波形であって、現在のビットに対応する信号の波形が示されている。図４の左上には、例えば、信号ルータ４５と機能ブロック４６とが信号ケーブルを介して接続されていたとしたときに、信号ケーブルを介して機能ブロック４６が受信した信号の波形であって、現在のビットに対応する信号の波形が示されている。
【００６８】
信号ケーブルを介して信号が伝送される場合には、図４の左上に示されているように、現在のビット「１」の信号値の平均値は約0.3となり、平均値の波形は直線的な形状である。
【００６９】
これに対し、無線通信により信号が伝送される場合には、筐体４２の内部のように閉じられた系においては、電磁波の発散が少ないので、電磁波の減衰は小さく、現在のビットの数ビット前のビット、例えば、４ビット前から１ビット前までの各ビットが、筐体４１の壁面で反射したり、各基板で反射や回折したりすることで遅延して伝送される。このように、４ビット前から１ビット前までの各ビットが遅延して伝送され、現在のビットに重畳されることにより、現在のビットの信号値が変化する。
【００７０】
従って、図４の右上に示されているように、機能ブロック４６が受信した信号であって、現在のビットに対応する信号の信号値により表される波形（以下、適宜、現在のビットの波形という）に歪が生じてしまう。特に、現在のビットが１であるにもかかわらず、ビットの値の判定に用いられる閾値（即ち、０）以下の信号値もあり、これにより、現在のビットが０であると、間違って判定される可能性がある。
【００７１】
しかしながら、図４の右上に示されているように、歪が生じた波形の分散は、ある一定の大きさに収まっており、波形に生じる歪は、定常的な特性を有している。
【００７２】
即ち、図２に示すように、信号処理装置３１の筐体３２の内部では、電源モジュール３３、プラットフォーム基板３４、入力基板３５、信号処理基板３６1乃至３６3、および出力基板３７は、それぞれ固定されているので、筐体３２の壁面や各基板などでは、常に、電磁波が同様に反射しており、それらの電磁波の干渉、即ち、マルチパスによる影響は、定常的なものであるといえる。これにより、現在のビットの波形に生じる歪が定常的なものとなる。
【００７３】
即ち、例えば、現在のビットの４ビット前に送信されたビットから現在のビットまでの各ビットが、図４の下側に示すように「0,1,0,1,1」であれば、筐体４２の内部における無線通信により現在のビットの波形に生じる歪は、定常的に、図４の右上に示すようなものとなる。
【００７４】
従って、例えば、現在のビットの前に送信された複数のビットが、マルチパスを介して遅延して伝送される影響により、定常的な歪が生じた現在のビットの波形の特性（以下、適宜、遅延プロファイルという）が、機能ブロック４６に予め記憶されていれば、機能ブロック４６は、遅延プロファイルと、信号ルータ４５から送信されてきた信号の現在のビットの波形とに基づいて、信号ルータ４５から送信されてきた信号のビットを正確に決定することができる。
【００７５】
このような遅延プロファイルは、例えば、信号処理装置３１において、画像の信号の送受信を無線通信により行う前に、信号ルータ４５と機能ブロック４６とが、予め所定の値が設定された複数のビットの組み合わせからなる信号（以下、適宜、テストパターン信号という）を、複数回、送受信することで、取得することができる。
【００７６】
図５は、遅延プロファイルの取得に用いられるテストパターン信号と、遅延プロファイルとの例を示す図である。
【００７７】
図５の左側には、７ビットのテストパターン信号が示されている。例えば、現在のビットの６ビット前から１ビット前までの各ビットが、現在のビットの信号値に影響を与えるとしたときには、図５に示されているような７ビットのテストパターン信号が用いられる。
【００７８】
また、テストパターン信号が７ビットであるときには、テストパターン信号としては、各ビットが「０」または「１」であるときの１２８（即ち、２の７乗）通りのビットの組み合わせがある。即ち、信号ルータ４５と機能ブロック４６との間で、１２８個のテストパターン信号の送受信が行われることにより、それぞれのテストパターン信号に応じた遅延プロファイルが取得される。
【００７９】
図５の右側には、左側に示されているテストパターン信号それぞれから取得された遅延プロファイルが示されている。信号ルータ４５および機能ブロック４６は、図５に示されるような遅延プロファイルを取得して、蓄積する。
【００８０】
次に、図６は、図３の信号ルータ４５および機能ブロック４６の構成例を示すブロック図である。図６には、信号ルータ４５が、機能ブロック４６にテストパターン信号を送信し、機能ブロック４６が、遅延プロファイルを取得する処理に必要なブロックが示されている。
【００８１】
図６において、信号ルータ４５は、アンテナ４５ａ、送信側制御部６１、テストパターン生成部６２、および無線送信部６３から構成され、機能ブロック４６は、アンテナ４６ａ、受信側制御部７１、テストパターン生成部７２、無線受信部７３、統計処理部７４、および遅延プロファイル蓄積部７５から構成される。
【００８２】
送信側制御部６１は、テストパターン生成部６２を制御し、テストパターン信号を生成させ、無線送信部６３を制御し、テストパターン生成部６２により生成されたテストパターン信号を機能ブロック４６に送信させる。例えば、テストパターン信号が、７ビットの信号である場合には、送信側制御部６１は、図５に示したような１２８個のテストパターン信号をテストパターン生成部６２に生成させる。
【００８３】
なお、送信側制御部６１には、テストパターン信号のビットが取る値の組み合わせや、それらのテストパターン信号を送信する順番、同一のテストパターン信号を繰り返して送信させる所定の回数などが、予め設定されている。
【００８４】
また、送信側制御部６１は、テストパターン信号の送信を開始する前に、どのようなビットの組み合わせからなるテストパターン信号を送信して遅延プロファイルを取得するかなどを指定し、遅延プロファイルを取得する処理の開始を指示する制御信号（コマンド）を無線送信部６３に供給し、この制御信号を機能ブロック４６に送信させる。
【００８５】
ここで、例えば、画像の信号のように、高速で伝送される信号の送受信が行われる場合には、１ビットあたりの時間的な長さが短くなり、マルチパスの影響により信号に生じる歪の影響が大きく、信号が表すビットの判定に与える影響も大きくなる。これに対し、例えば、処理の開始を指示する制御信号のように、ある程度の低速で伝送される信号の送受信が行われる場合には、１ビットあたりの時間的な長さを短くする必要がなく、１ビットあたりの時間的な長さを長くすることができる。これにより、この場合には、マルチパスの影響により信号に生じる歪の影響は小さく、信号が表すビットの判定に与える影響も小さくなる。従って、送信側制御部６１が無線通信により制御信号を送信しても、歪の影響は小さく、機能ブロック４６は、制御信号を正常に受信することができる。
【００８６】
なお、例えば、送信側制御部６１と受信側制御部７１とが図示しない制御バスで接続されていて、その制御バスを介して、送信側制御部６１が制御信号を受信側制御部７１に送信してもよい。
【００８７】
テストパターン生成部６２は、送信側制御部６１の制御に応じて、テストパターン信号を生成し、無線送信部６３に供給する。
【００８８】
無線送信部６３は、送信側制御部６１から供給された制御信号、またはテストパターン生成部６２から供給されたテストパターン信号を、アンテナ４５ａを介して、機能ブロック４６に送信する。
【００８９】
受信側制御部７１には、送信側制御部６１と同様に、テストパターン信号のビットが取る値の組み合わせや、それらのテストパターン信号を送信する順番、同一のテストパターン信号を繰り返して送信させる所定の回数などが、予め設定されている。そして、受信側制御部７１は、信号ルータ４５から送信されてきた遅延プロファイルを取得する処理の開始を指示する制御信号が、無線受信部７３から供給されると、その制御信号で指定されたテストパターン信号を生成するように、上述の設定に従って、テストパターン生成部７２を制御し、テストパターン信号を生成させる。
【００９０】
テストパターン生成部７２は、受信側制御部７１の制御に応じて、テストパターン信号を生成し、統計処理部７４に供給する。
【００９１】
無線受信部７３は、アンテナ４６ａを介して、信号ルータ４５から送信されてくる制御信号またはテストパターン信号を受信する。無線受信部７３は、信号ルータ４５から送信されてきた制御信号を受信側制御部７１に供給する。また、無線受信部７３は、信号ルータ４５から送信されてきたテストパターン信号から、現在のビットの信号値を取り出して、統計処理部７４に供給する。
【００９２】
統計処理部７４には、無線受信部７３から、信号ルータ４５から送信されてくるテストパターン信号の現在のビットの信号値が供給され、統計処理部７４は、現在のビットの信号値に基づいて、遅延プロファイルを取得する。
【００９３】
即ち、例えば、過去に遅延プロファイルを取得する処理が行われ、遅延プロファイル蓄積部７５に、既に取得された遅延プロファイルが蓄積されていれば、統計処理部７４は、テストパターン生成部７２から供給されたテストパターン信号に対応する遅延プロファイルを遅延プロファイル蓄積部７５から読み出す。そして、統計処理部７４は、無線受信部７３から供給された現在のビットの信号値と、遅延プロファイル蓄積部７５から読み出した遅延プロファイルとに対して統計的な処理を行い、例えば、現在のビットの信号値と遅延プロファイルとの平均値を演算する処理を行い、その演算の結果得られた値を、新たな遅延プロファイルとして取得する。
【００９４】
また、統計処理部７４は、遅延プロファイル蓄積部７５に、既に取得された遅延プロファイルが蓄積されていなければ、無線受信部７３から供給された現在のビットの信号値を、遅延プロファイルとして取得する。
【００９５】
このように、統計処理部７４が取得する遅延プロファイルは、テストパターン信号が筐体４２の内部における無線通信により伝送されたときに、現在のビットの前のビットがマルチパスを介して遅延して伝送される影響により、テストパターン信号の現在のビットの波形に生じる歪の特性（平均的な形状）である。
【００９６】
そして、統計処理部７４は、自身が取得した遅延プロファイルと、テストパターン生成部７２から供給されたテストパターン信号とを対応付けて、統計処理部７４に供給する。
【００９７】
なお、送信側制御部６１がテストパターン生成部６２に生成させるテストパターン信号と、受信側制御部７１がテストパターン生成部７２に生成させるテストパターン信号とは、同一の設定に従って生成されるので、統計処理部７４が遅延プロファイルの取得に用いたテストパターン信号のビットが取る値と、テストパターン生成部７２から統計処理部７４に供給されたテストパターン信号のビットが取る値とは、同一である。
【００９８】
そして、統計処理部７４は、信号ルータ４５から送信されてくる全てのテストパターン信号に対して、上述の処理と同様の処理を行い、全てのテストパターン信号に応じた遅延プロファイルを取得する。
【００９９】
遅延プロファイル蓄積部７５は、統計処理部７４から供給された遅延プロファイルとテストパターン信号とを対応付けて蓄積（記憶）する。
【０１００】
次に、図７は、図６の信号ルータ４５がテストパターン信号を送信し、機能ブロック４６が遅延プロファイルを取得する処理を説明するフローチャートである。
【０１０１】
例えば、図３の信号処理装置３１の初期化時に、遅延プロファイルを取得する処理を行うように、信号処理装置３１が設定されているとする。
【０１０２】
ユーザが、信号処理装置３１に基板などを追加し、初期化を行うように信号処理装置３１を操作した後に、信号処理装置３１が再起動すると処理が開始され、ステップＳ１１において、信号ルータ４５の送信側制御部６１は、遅延プロファイルを取得する処理の開始を指示する制御信号（コマンド）を無線送信部６３に供給し、無線送信部６３は、その制御信号を機能ブロック４６に送信する。
【０１０３】
ステップＳ１１の処理後、処理はステップＳ１２に進み、送信側制御部６１は、テストパターン生成部６２を制御し、例えば、１番目に送信するように設定されているテストパターン信号を生成させる。テストパターン生成部６２は、送信側制御部６１の制御に従い、テストパターン信号を生成して無線送信部６３に供給し、処理はステップＳ１３に進む。
【０１０４】
ステップＳ１３において、無線送信部６３は、ステップＳ１２でテストパターン生成部６２から供給されたテストパターン信号を機能ブロック４６に送信し、処理はステップＳ１４に進む。
【０１０５】
ステップＳ１４において、送信側制御部６１は、機能ブロック４６に送信すべき全てのテストパターン信号が無線送信部６３により送信されたか否かを判定する。即ち、例えば、テストパターン信号が７ビットの信号である場合、送信側制御部６１は、図５の左側に示した全てのテストパターン信号が機能ブロック４６に送信されたか否かを判定する。
【０１０６】
ステップＳ１４において、送信側制御部６１が、機能ブロック４６に送信すべき全てのテストパターン信号が無線送信部６３により送信されていないと判定した場合、ステップＳ１２に戻り、送信側制御部６１は、直前のステップＳ１３で無線送信部６３により送信されたテストパターン信号の次に送信すべきテストパターン信号をテストパターン生成部６２に生成させ、以下、同様の処理が繰り返される。
【０１０７】
一方、ステップＳ１４において、送信側制御部６１が、機能ブロック４６に送信すべき全てのテストパターン信号が無線送信部６３により送信されたと判定した場合、信号ルータ４５での処理は終了する。
【０１０８】
一方、機能ブロック４６は、遅延プロファイルを取得する処理の開始を指示する制御信号が、信号ルータ４５から送信されてくるまで処理を待機しており、上述のステップＳ１１で、信号ルータ４５が、遅延プロファイルを取得する処理の開始を指示する制御信号を送信すると、ステップＳ２１において、無線受信部７３は、その制御信号を受信して受信側制御部７１に供給する。
【０１０９】
ステップＳ２１の処理後、処理はステップＳ２２に進み、受信側制御部７１は、テストパターン生成部７２を制御し、例えば、信号ルータ４５から１番目に送信されてくることが設定されているテストパターン信号を生成させる。テストパターン生成部７２は、送信側制御部７１の制御に従い、テストパターン信号を生成して統計処理部７４に供給し、処理はステップＳ２３に進む。
【０１１０】
ステップＳ２３において、無線受信部７３は、信号ルータ４５からテストパターン信号が送信されてくるまで待機し、上述のステップＳ１３で信号ルータ４５がテストパターン信号を送信すると、そのテストパターン信号を受信する。そして、無線受信部７３は、信号ルータ４５から送信されてきたテストパターン信号から、現在のビットの信号値を取り出して、統計処理部７４に供給し、処理はステップＳ２４に進む。
【０１１１】
ステップＳ２４において、統計処理部７４は、既に取得され遅延プロファイル蓄積部７５に蓄積されている遅延プロファイルであって、ステップＳ２２でテストパターン生成部７２から供給されたテストパターン信号に対応付けられている遅延プロファイルを、遅延プロファイル蓄積部７５から読み出す。
【０１１２】
ステップＳ２４の処理後、処理はステップＳ２５に進み、統計処理部７４は、ステップＳ２５で無線受信部７３から供給された現在のビットの信号値と、ステップＳ２４で遅延プロファイル蓄積部７５から読み出した遅延プロファイルとに対して統計的な処理を施し、例えば、現在のビットの信号値と遅延プロファイルとの平均値を算出し、その結果得られた値を、遅延プロファイルとして新たに取得し、処理はステップＳ２６に進む。
【０１１３】
ステップＳ２６において、統計処理部７４は、ステップＳ２５で取得した遅延プロファイルを新たに遅延プロファイル蓄積部７５に蓄積し、処理はステップＳ２７に進む。
【０１１４】
ステップＳ２７において、受信側制御部７１は、全てのパターンのテストパターン信号が信号ルータ４５から送信されてきたか否かを判定する。
【０１１５】
ステップＳ２７において、受信側制御部７１が、全てのパターンのテストパターン信号が信号ルータ４５から送信されてきていないと判定した場合、ステップＳ２２に戻り、受信側制御部７１は、直前のステップＳ２３で無線受信部７３が受信したテストパターン信号の次に信号ルータ４５から送信されてくることが設定されているテストパターン信号をテストパターン生成部７２に生成させ、以下、同様の処理が繰り返される。
【０１１６】
一方、ステップＳ２７において、受信側制御部７１が、全てのパターンのテストパターン信号が信号ルータ４５から送信されてきたと判定した場合、処理は終了する。
【０１１７】
以上のように、信号ルータ４５は、テストパターン信号を送信し、機能ブロック４６は、信号ルータ４５から送信されてくるテストパターン信号に応じた遅延プロファイルを取得することができる。また、遅延プロファイルは、筐体４２の内部における無線通信の定常性を利用したものであるので、初期化時などに遅延プロファイルを取得する処理を行うだけで、高品質でロバストな値を取得することができる。
【０１１８】
そして、機能ブロック４６は、上述したようにして取得した遅延プロファイルを用いて、信号ルータ４５から送信されて、機能ブロック４６が受信した信号（以下、適宜、受信信号という）のビットを決定する。
【０１１９】
即ち、機能ブロック４６は、遅延プロファイルの信号値と、受信信号の現在のビットの信号値との相関係数を算出し、現在のビットの信号値との相関が高い遅延プロファイルの取得に用いられたテストパターン信号に基づいて、受信信号のビットを決定する。
【０１２０】
例えば、機能ブロック４６は、遅延プロファイルの信号値と、受信信号の現在のビットの信号値との相関係数Ａを、式（１）を演算することにより求める。
【０１２１】
【数１】
2008160768.tif 000003
・・・（１）
【０１２２】
但し、式（１）において、ａiは、遅延プロファイルの信号値であって、遅延プロファイルを複数のサンプリング点でサンプリングしたときのｉ番目のサンプリング点での信号値を表す。また、ｂiは、受信信号の現在のビットの信号値であって、現在のビットを複数のサンプリング点でサンプリングしたときのｉ番目のサンプリング点での信号値を表す。また、ｎは、１ビットに対応する信号をサンプリングする数であり、即ち、受信信号または遅延プロファイルの現在のビットの信号値をサンプリングしたサンプリング点の数である。
【０１２３】
そして、機能ブロック４６は、式（１）を演算することにより求めた相関係数に基づいて、現在のビットの信号値との相関の高い遅延プロファイルの取得に用いられたテストパターン信号を選択し、相関係数に基づいて選択されたテストパターン信号に基づいて、受信信号のビットを決定する。
【０１２４】
次に、例えば、受信信号のビット、即ち、受信信号の現在のビットから現在のビットの４ビット前までのビットが、「0,0,0,1」および「0,1,0,1」である場合に、機能ブロック４６が相関係数に基づいてテストパターン信号を選択し、そのテストパターン信号に基づいて受信信号のビットを決定する方法について説明する。
【０１２５】
図８は、受信信号の現在のビットの信号値と遅延プロファイルの信号値から求められた相関係数と、その遅延プロファイルの取得に用いられたテストパターン信号との関係を示す図である。図８の上側には、受信信号のビットが「0,0,0,1」である場合の相関係数が示されており、図８の下側には、受信信号のビットが「0,1,0,1」である場合の相関係数が示されている。
【０１２６】
図８において、縦軸は相関係数を表し、横軸はテストパターン信号を識別するための識別番号を表す。ここで、テストパターン信号を識別するための識別番号としては、テストパターン信号のビットの組み合わせに応じて決定される数値を用いることができ、例えば、テストパターン信号を２進数として見たときに、テストパターン信号を１０進数に変換した数値を用いることができる。
【０１２７】
例えば、４ビットのテストパターン信号を識別するための識別番号は、０乃至１５であり、即ち、テストパターン信号「0,0,0,0」を識別するための識別番号は、０であり、テストパターン信号「0,0,0,1」を識別するための識別番号は、１であり、テストパターン信号「0,0,1,0」を識別するための識別番号は、２であり、テストパターン信号「0,0,1,1」を識別するための識別番号は、３であり、以下、同様に、テストパターン信号「1,1,1,1」を識別するための識別番号は、１５である。
【０１２８】
ここで、機能ブロック４６は、所定の閾値以上の相関係数に対応するテストパターン信号を、受信信号との相関の高い遅延プロファイルの取得に用いられたテストパターン信号として選択するものとする。そして、例えば、閾値が0.8に設定されているとすると、受信信号のビットが「0,0,0,1」である場合には、図８の上側に示すように、識別番号１により識別されるテストパターン信号との相関係数のみが、閾値0.8以上となっており、機能ブロック４６は、識別番号１に対応するテストパターン信号、即ち、テストパターン信号「0,0,0,1」を選択する。この場合、機能ブロック４６は、受信信号のビットは、「0,0,0,1」であると、一意に決定することができる。
【０１２９】
また、受信信号のビットが「0,1,0,1」である場合には、図８の下側に示すように、識別番号５，７、および１１により識別されるテストパターン信号との相関係数が、閾値0.8以上となっており、機能ブロック４６は、識別番号５，７、および１１に対応するテストパターン信号、即ち、テストパターン信号「0,1,0,1」、「0,1,1,1」および「1,1,0,1」を選択する。この場合、機能ブロック４６は、受信信号の全てのビットを一意に決定することはできないが、受信信号の一部のビットを決定することができる。
【０１３０】
即ち、テストパターン信号「0,1,0,1」、「0,1,1,1」および「1,1,0,1」のいずれにおいても、現在のビットは「１」であるので、機能ブロック４６は、受信信号の現在のビットは「１」であると決定することができる。同様に、テストパターン信号「0,1,0,1」、「0,1,1,1」および「1,1,0,1」のいずれにおいても、現在のビットの２ビット前のビットは「１」であるので、機能ブロック４６は、受信信号の現在のビットの２ビット前のビットは「１」であると決定することができる。
【０１３１】
このように、機能ブロック４６は、受信信号の全てのビットを一意に決定することができない場合においても、受信信号の一部のビットであって、現在のビットの波形に特徴的な影響を与えているビットについては、そのビットの値を決定することができる。
【０１３２】
図９は、上述した方法により、受信信号のビットを決定する機能ブロック４６の構成例を示すブロック図である。図９には、機能ブロック４６が、信号ルータ４５（図３）から送信されてきた信号を受信し、受信信号のビットを決定する処理に必要なブロックが示されている。
【０１３３】
図９において、機能ブロック４６は、アンテナ４６ａ、受信部８１，A/D(Digital/Analog)コンバータ８２、相関係数取得部８３、選択部８４、ビット決定部８５から構成される。
【０１３４】
受信部８１には、アンテナ４６ａが接続されており、アンテナ４６ａは、信号ルータ４５から送信されてくるRF信号を受信し、受信部８１に供給する。受信部８１は、アンテナ４６ａから供給されたRF信号に、所定の周波数の信号を掛け合わせて、RF信号をベースバンド信号に変換する。そして、受信部８１は、アンテナ４６ａが受信したRF信号をベースバンド信号に変換した信号、即ち、受信信号をA/Dコンバータ８２に供給する。
【０１３５】
A/Dコンバータ８２は、受信部８１から供給された受信信号をA/D変換する。A/Dコンバータ８２は、受信部８１から供給された受信信号をA/D変換した結果得られた値を、受信信号の信号値として取得し、相関係数取得部８３に供給する。
【０１３６】
ここで、A/Dコンバータ８２は、ビットの周波数よりも高い周波数で受信信号をサンプリング（オーバーサンプリング）し、１つのビットの信号値（信号を多値量子化した値）を複数のサンプリング点で取得することで、受信信号を波形として取得する。
【０１３７】
相関係数取得部８３は、ｋ個の遅延プロファイル供給部８６1乃至８６kと、ｋ個の相関係数演算部８７1乃至８７kとを有する。
【０１３８】
ここで、遅延プロファイル供給部８６1乃至８６kの個数ｋと相関係数演算部８７1乃至８７kの個数ｋは、遅延プロファイルを取得する処理（図７）により取得された遅延プロファイルの個数と同一であり、例えば、遅延プロファイルの取得に用いられたテストパターン信号が、４ビットの信号であれば、個数ｋは、１６（即ち、２の４乗）である。なお、テストパターン信号のビット数は、現在のビットの何ビット前までに送信された信号が、現在のビットの信号値に影響を与えるかによって決められ、あらかじめシミュレーションなどを行うことにより、テストパターン信号のビット数、即ち、何ビット前のビットの影響まで考慮してビットを決定するかが決められる。
【０１３９】
遅延プロファイル供給部８６1乃至８６kは、図６の遅延プロファイル蓄積部７５に蓄積されている遅延プロファイルを読み出して、相関係数演算部８７1乃至８７kにそれぞれ供給する。また、遅延プロファイル供給部８６1乃至８６kは、相関係数演算部８７1乃至８７kに供給した遅延プロファイルに対応するテストパターン信号の識別番号も、相関係数演算部８７1乃至８７kにそれぞれ供給する。
【０１４０】
相関係数演算部８７1乃至８７kには、A/Dコンバータ８２から受信信号の信号値が供給され、遅延プロファイル供給部８６1乃至８６kから遅延プロファイルの信号値が供給される。相関係数演算部８７1乃至８７kは、上述した式（１）を演算し、受信信号の信号値と遅延プロファイルの信号値との相関係数を求める。
【０１４１】
相関係数演算部８７1乃至８７kは、式（１）を演算して求めた相関係数と、遅延プロファイル供給部８６1乃至８６kから供給されたテストパターン信号の識別番号とをそれぞれ対応付けて、選択部８４に供給する。
【０１４２】
選択部８４は、相関係数演算部８７1乃至８７kから供給された相関係数に基づいて、図８を参照して説明したように、受信信号の信号値との相関の高い遅延プロファイルの取得に用いられたテストパターン信号を選択し、そのテストパターン信号の識別番号をビット決定部８５に供給する。
【０１４３】
ビット決定部８５は、選択部８４から供給された識別番号により識別されるテストパターン信号のビットの値に基づいて、受信信号のビットを決定して出力する。
【０１４４】
例えば、選択部８４がテストパターン信号を１つだけ選択したとすると、ビット決定部８５は、そのテストパターン信号のビットの値と同一の値を、受信信号のビットの値として決定する。
【０１４５】
また、選択部８４がテストパターン信号を複数選択したとすると、ビット決定部８５は、複数のテストパターン信号の現在のビットの値が全て「１」であれば、受信信号の現在のビットの値は「１」であると決定し、複数のテストパターン信号の現在のビットの値が全て「０」であれば、受信信号の現在のビットの値は「０」であると決定する。また、ビット決定部８５は、複数のテストパターン信号の現在のビットのｎビット前のビットの値が全て「１」であれば、受信信号の現在のビットのｎビット前のビットの値は「１」であると決定し、複数のテストパターン信号の現在のビットのｎビット前のビットの値が全て「０」であれば、受信信号の現在のビットのｎビット前のビットの値は「０」であると決定する。
【０１４６】
次に、図１０は、図９の機能ブロック４６が、受信信号のビットを決定する処理を説明するフローチャートである。
【０１４７】
アンテナ４６ａが、信号ルータ４５から送信されてくるRF信号を受信して受信部８１に供給すると、ステップＳ３１において、受信部８１は、アンテナ４６ａが受信したRF信号をベースバンド信号に変換して、A/Dコンバータ８２に受信信号を供給する。
【０１４８】
ステップＳ３１の処理後、処理はステップＳ３２に進み、A/Dコンバータ８２は、受信部８１から供給された受信信号をA/D変換し、受信信号の信号値を取得する。A/Dコンバータ８２は、受信信号の信号値を相関係数取得部８３の相関係数演算部８７1乃至８７kに供給し、処理はステップＳ３３に進む。
【０１４９】
ステップＳ３３において、遅延プロファイル供給部８６1乃至８６kは、図６の遅延プロファイル蓄積部７５に蓄積されている遅延プロファイルを読み出して、遅延プロファイルの信号値を相関係数演算部８７1乃至８７kにそれぞれ供給するとともに、遅延プロファイルに対応付けられているテストパターン信号を識別するための識別番号を相関係数演算部８７1乃至８７kにそれぞれ供給する。
【０１５０】
ステップＳ３３の処理後、処理はステップＳ３４に進み、相関係数演算部８７1乃至８７kは、ステップＳ３２でA/Dコンバータ８２から供給された受信信号の信号値と、ステップＳ３３で遅延プロファイル供給部８６1乃至８６kから供給された遅延プロファイルの信号値との相関係数を求める。相関係数演算部８７1乃至８７kは、算出した相関係数と、ステップＳ３３で遅延プロファイル供給部８６1乃至８６kから供給されたテストパターン信号の識別信号とを対応付けて選択部８４に供給する。
【０１５１】
ステップＳ３４の処理後、処理はステップＳ３５に進み、選択部８４は、相関係数演算部８７1乃至８７kから供給された相関係数に基づいて、所定の閾値以上の相関係数に対応付けられている識別信号により識別されるテストパターン信号を、受信信号の信号値との相関の高い遅延プロファイルの取得に用いられたテストパターン信号として選択し、そのテストパターン信号の識別番号をビット決定部８５に供給し、処理はステップＳ３６に進む。
【０１５２】
ステップＳ３６において、ビット決定部８５は、選択部８４から供給された識別番号により識別されるテストパターン信号のビットの値に基づいて、受信信号のビットの値を決定し、処理は終了する。
【０１５３】
以上のように、機能ブロック４６は、受信信号の現在のビットの信号値から、現在のビットの値だけでなく、現在のビットの前に送信された複数のビットの値をも、決定することができる。
【０１５４】
このように、機能ブロック４６が、マルチパスの影響により遅延して伝送される複数のビットの値に応じて現在のビットの波形に生じる歪を利用して、それらの複数のビットの値を決定することで、現在のビットの信号値から現在のビットの値のみを決定する場合よりも、ビットの値を正確に決定することができ、これにより、通信の品質を向上させることができる。
【０１５５】
また、例えば、従来の無線通信では、送信側が、信号をブロック化し、それぞれのブロックに誤り訂正符号を付加して送信し、受信側が、そのブロックを受信して展開し、誤り訂正符号を用いて信号に発生した誤りを訂正する処理を行う必要があった。これに対し、信号処理装置３１では、遅延プロファイルを用いて、ビットを正確に決定することができるので、信号ルータ４５は、信号のビットを順次送信するだけでよく、機能ブロック４６は、信号ルータ４５からの信号を受信して、その信号のビットを順次決定するだけでよい。従って、従来の無線通信より遅延を短くし、遅延を一定にすること、即ち、リアルタイム性を容易に確保することができる。また、誤りを訂正する処理を行わなくてもよいので、装置をシンプルに構成することができる。
【０１５６】
さらに、従来の無線通信では、マルチパス対策として、例えば、パケットにUWを挿入する必要があったが、遅延プロファイルに基づいて、通信の品質を向上させることができるので、UWを挿入する必要がなく、パケットのオーバーヘッドを減らすことができ、高速な通信を行うことができる。
【０１５７】
また、信号処理装置３１は、信号ケーブルを介して信号を送信する従来の信号処理装置と同様に、信号のビットが順次送信されるように構成されているので、信号ケーブルを介して信号を送信する従来の信号処理装置の基板間ハーネスや基板コネクタに代替して、信号処理装置３１で行われる無線通信のシステムを、容易に、かつ、安価に導入することができる。また、信号処理装置３１を製造する製造工程においても、従来の信号処理装置で必要であったハーネス接続工程などを、省くことができる。
【０１５８】
なお、本実施の形態では、信号ルータ４５から機能ブロック４６に信号を送信する場合について説明したが、機能ブロック４６から信号ルータ４５に信号を送信したり、機能ブロック４６どうしの間で信号の送受信をしたりする場合においても、信号ルータ４５から機能ブロック４６に信号を送信する場合と同様の処理により、現在のビットを正確に決定することができる。
【０１５９】
また、選択部８４には、例えば、テストパターン信号を選択する個数をあらかじめ設定することができ、選択部８４は、その個数のテストパターン信号を、相関係数が大きな順に選択することで、受信信号の信号値との相関の高い遅延プロファイルの取得に用いられたテストパターン信号を選択ようにしてもよい。
【０１６０】
また、ビット決定部８５は、複数のテストパターン信号の各ビット（現在のビット、または現在のビットのｎビット前のビット）の値が全て一致したときに、その値を受信信号の各ビットの値として決定する以外に、例えば、各ビットの値の多数決に基づいた値を、受信信号の各ビットの値として決定することができる。
【０１６１】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１６２】
図１１は、上述した一連の処理をプログラムにより実行するパーソナルコンピュータの構成の例を示すブロック図である。CPU（Central Processing Unit）１０１は、ROM（Read Only Memory）１０２、または記憶部１０８に記憶されているプログラムに従って各種の処理を実行する。RAM（Random Access Memory）１０３には、CPU１０１が実行するプログラムやデータなどが適宜記憶される。これらのCPU１０１、ROM１０２、およびRAM１０３は、バス１０４により相互に接続されている。
【０１６３】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１６４】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１６５】
また、通信部１０９を介してプログラムを取得し、記憶部１０８に記憶してもよい。
【０１６６】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１６７】
コンピュータにインストールされ、コンピュータによって実行可能な状態とされるプログラムを格納するプログラム記録媒体は、図１１に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、デジタル衛星放送といった、有線または無線の通信媒体を利用して行われる。
【０１６８】
なお、本発明は、１シンボルにより１ビットが伝送される変調方式を用いる装置の他、例えば、QPSK(quadrature phase shift keying)や、8PSK(quadrature phase shift keying)のように、１シンボルにより複数のビットが伝送される変調方式を用いる装置にも適用することができる。
【０１６９】
また、本発明は、装置の筐体の内部における無線通信だけではなく、遅延プロファイルが一定な環境であれば、屋外での無線通信にも適用することができる。また、ケーブルを介して信号を伝送するにあたり、ケーブルの端部で信号が反射し、伝送すべき信号と反射した信号とによって信号に歪が発生するような装置に、本発明を適用することで、通信の品質を向上させることができる。
【０１７０】
さらに、例えば、磁界を利用した近接通信では、通信距離が限定されてしまうため、通信に用いるアンテナの配置などに制限があるが、信号処理装置３１は、アンテナの配置が限定されることなく、高品質な通信を行うことができる。
【０１７１】
また、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１７２】
なお、本発明の実施の形態は、上述した実施の形態に限定されるものではなく、本発明の要旨を逸脱しない範囲において種々の変更が可能である。
【図面の簡単な説明】
【０１７３】
【図１】従来の信号処理装置の構成例を示すブロック図である。
【図２】本発明を適用した信号処理装置の一実施の形態の構成例を示す斜視図である。
【図３】信号処理装置３１の構成例を示すブロック図である。
【図４】筐体４２の内部における無線通信により伝送された信号の波形に生じる歪について説明する図である。
【図５】遅延プロファイルの取得に用いられるテストパターン信号と、遅延プロファイルとの例を示す図である。
【図６】信号ルータ４５および機能ブロック４６の構成例を示すブロック図である。
【図７】信号ルータ４５がテストパターン信号を送信し、機能ブロック４６が遅延プロファイルを取得する処理を説明するフローチャートである。
【図８】受信信号と遅延プロファイルとの相関係数と、その遅延プロファイルの取得に用いられたテストパターン信号との関係を示す図である。
【図９】信号のビットを決定する機能ブロック４６の構成例を示すブロック図である。
【図１０】機能ブロック４６が、信号ルータ４５から送信されてきた信号のビットを決定する処理を説明するフローチャートである。
【図１１】パーソナルコンピュータの構成の例を示すブロック図である。
【符号の説明】
【０１７４】
３１  信号処理装置，  ３２  筐体，  ３３  電源モジュール，  ３４  プラットフォーム基板，  ３５  入力基板，  ３６1乃至３６3  信号処理基板，  ３７  出力基板，  ４２  筐体，  ４３1乃至４３4  コネクタ，  ４４  入力セレクタ，  ４４ａ  アンテナ，  ４５  信号ルータ，  ４５ａ  アンテナ，  ４６1乃至４６3  機能ブロック，  ４６ａ1乃至４６ａ3  アンテナ  ４７  コネクタ，  ４８  リモートコマンダ，  ４９  操作部，  ５０  システム制御ブロック，  ５０ａ  アンテナ，  ６１  送信側制御部，  ６２  テストパターン生成部，  ６３  無線送信部，  ７１  受信側制御部，  ７２  テストパターン生成部，  ７３  無線受信部，  ７４  統計処理部，  ７５  遅延プロファイル蓄積部，  ８１  受信部，  ８２  A/Dコンバータ，  ８３  相関係数取得部，  ８４  選択部，  ８５  ビット決定部，  ８６1乃至８６k  遅延プロファイル供給部，  ８７1乃至８７k  相関係数演算部
【図１】
2008160768.tif 000004
【図２】
2008160768.tif 000005
【図３】
2008160768.tif 000006
【図４】
2008160768.tif 000007
【図５】
2008160768.tif 000008
【図６】
2008160768.tif 000009
【図７】
2008160768.tif 000010
【図８】
2008160768.tif 000011
【図９】
2008160768.tif 000012
【図１０】
2008160768.tif 000013
【図１１】
2008160768.tif 000014